(57)【要約】【課題】  画像取込みプロセスの内部および／または外部欠陥を補正すること。【解決手段】  本発明の少なくとも１つの実施形態によると、複数の発光ダイオード（ＬＥＤ）１１1、．．．、１１nを配置して、画像取込みデバイス１００用のストロボ１０１を形成するステップを含む方法が提供される。この方法はさらに、ＬＥＤの１つの領域によって放射される光の強度が、ＬＥＤの他の領域によって放射される光の強度と異なるように、画像取込みプロセス中にＬＥＤによって放射される光の強度を制御するステップを含む。【選択図】  図１
2005078089.tif 000002
【特許請求の範囲】
【請求項１】
複数の発光ダイオード（ＬＥＤ）を配置して、画像取込みデバイス用のストロボを形成するステップと、
前記ＬＥＤの１つの領域によって放射される光の強度が、前記ＬＥＤの他の領域によって放射される光の強度とは異なるように、画像取り込みプロセス中に、前記ＬＥＤによって放射される光の強度を制御するステップと、
を含むことを特徴とする方法。
【請求項２】
画像取込みプロセス中に前記ＬＥＤによって放射される光の前記強度を制御するステップは、
前記ＬＥＤの配置を制御するステップ
を含むことを特徴とする請求項１に記載の方法。
【請求項３】
前記ＬＥＤの配置を制御するステップは、
前記１つの領域に前記他の領域よりもＬＥＤがさらに密集するように、前記ＬＥＤを配置するステップ
を含むことを特徴とする請求項２に記載の方法。
【請求項４】
画像取込みプロセス中に前記ＬＥＤによって放射される光の前記強度を制御するステップは、
前記ＬＥＤのそれぞれに供給される電力の量を制御するステップ
を含むことを特徴とする請求項１に記載の方法。
【請求項５】
前記ＬＥＤは、異なる色のＬＥＤを含み、画像取込みプロセス中に前記ＬＥＤによって放射される光の前記強度を制御するステップは、
第１の色の少なくとも１つのＬＥＤによって放射される光の強度が、前記第１の色とは異なる第２の色の少なくとも１つのＬＥＤによって放射される光の強度とは異なるように、前記ＬＥＤによって放射される光の前記強度を制御するステップ
を含むことを特徴とする請求項１に記載の方法。
【請求項６】
画像取込みプロセスの内部欠陥を求めるステップと、
前記光の強度を制御して前記内部欠陥を補正するステップと、
をさらに含むことを特徴とする請求項１に記載の方法。
【請求項７】
画像取込みプロセスの外部欠陥を求めるステップと、
前記光の強度を制御して前記外部欠陥を補正するステップと、
をさらに含むことを特徴とする請求項１に記載の方法。
【請求項８】
異なる色の複数の発光ダイオード（ＬＥＤ）を配置して、画像取込みデバイス用のストロボを形成するステップと、
第１の色の少なくとも１つのＬＥＤによって放射される光の強度が、前記第１の色とは異なる第２の色の少なくとも１つのＬＥＤによって放射される光の強度とは異なるように、前記ＬＥＤによって放射される光の強度を制御するステップと、
を含むことを特徴とする方法。
【請求項９】
ストロボを形成する複数の発光ダイオード（ＬＥＤ）と、
前記ＬＥＤの１つの領域によって放射される光の強度が、前記ＬＥＤの他の領域によって放射される光の強度とは異なるように、画像取り込みプロセス中に、前記ＬＥＤによって放射される光の強度を制御するための制御ロジックと、
を備えることを特徴とする画像取込みデバイス。
【請求項１０】
前記ＬＥＤは、異なる色のＬＥＤを含むことを特徴とする請求項９に記載の画像取込みデバイス。
【発明の詳細な説明】
【技術分野】
【０００１】
本発明は、一般に、画像取込みデバイスおよびプロセスに関し、特に、画像取込みデバイスについて発光ダイオード（ＬＥＤ）を用いるためのシステムおよび方法に関する。
【背景技術】
【０００２】
静止画像および／または動画を取り込むためのデバイスは、今日の社会の一般的な部品である。フィルムカメラ（たとえば、３５ｍｍカメラ）、デジタルカメラ、およびカムコーダは、個人によって広範囲に用いられる画像取込みデバイスの例である。デジタルカメラは、ますます広範囲の使用が見出され、携帯電話および携帯情報端末（ＰＤＡ）などのデバイスにさえも導入されている。一般に、このような画像取込みデバイス（たとえば、デジタルカメラ等）のサイズは、（携帯性を高めるために）小さくなっている一方、このような画像取込みデバイスの複雑さおよび利用可能な機能は、増加している。たとえば、デジタルカメラの画像解像度、ズーム能力、画像格納能力、および他の様々な機能は絶えず改善されている。
【０００３】
様々な要因が、カメラで取り込まれた画像の質に影響を与える。取り込まれた画像の質に影響を与える１つの要因は照明である。シーンの良好な画像を取り込むためには、シーンの適切な照明が所望される。大抵の場合、シーンの周囲照明は、品質のよい画像を取り込むには十分ではない。したがって、カメラは、通常、周囲光を補うためのストロボ（すなわち、「フラッシュ」）を含む。従来から、カメラは、対象物を照明するためにキセノン放電ランプ（または、ストロボ）を用いてきた。キセノンストロボは、光を遠距離で投射する非常に明るいフラッシュを生成し、それによって、フラッシュが、カメラから比較的に遠くにある対象物の周囲照明を補うことができる。
【０００４】
「ホットシュー（hot shoe）」は、大抵の場合、ハイエンド一眼レフ（ＳＬＲ）カメラに含まれる。ホットシューとは、大きなストロボをカメラに留めるためのカメラの本体にあるクリップのことである。ホットシューは、カメラから、取り付けられたストロボまで信号を通し、（たとえば、異なる照明効果を成し遂げるために）任意の様々な種類の異なるストロボをカメラに取り付けることができる。
【０００５】
上記のように、キセノンストロボは、従来、周囲照明を補うために用いられている。キセノンストロボは、比較的大きいため、カメラ内の望ましくないほど大きな空間を使用する。たとえば、従来のキセノンストロボの実施態様は、通常、長さが約１〜１．５インチであり、直径が約０．５インチであり、カメラ内の望ましくないほど大きな空間を使用する。したがって、カメラがますます小さくなる一方、従来のストロボの実施態様は、カメラのサイズの低減量を制限している。さらに、カメラ内で従来のストロボによって使用される空間は、他の機能（たとえば、ロジックの増加、格納部の増加等）を実施するためには利用できない。さらに、キセノンストロボは、通常、望ましくないほど大量のエネルギーをフラッシュに用いる。たとえば、コンデンサは、通常、最大１８０ボルト〜３００ボルト間で充電され、次いで、ストロボ照明を作動させるために放電される。したがって、従来のキセノンストロボは、その使用に対して必要なエネルギーに関しては非効率的である。
【０００６】
カメラは、写真の適切な露光を成し遂げるために様々な技法を用いる。一般に、カメラは、選択されたカメラ設定を用いて、シーンの１つまたは複数の試し写真を撮影する。これらの試し写真は、解析され、シーンから取り込まれる光の量、および露光レベルを向上させるための露光を調整する方法が判断される。次に、カメラは、適切な露光が成し遂げられるように、最終写真を撮影する前に任意の設定を調整することができる。
【０００７】
調整されることができるカメラの設定の中には、（機械式または電子式）シャッター時間、レンズの絞り率、カメラ内の信号の電子増幅度（システム利得と呼ばれることもある）、シーンの周囲照明を補うためにストロボ光を発火させるべきかどうか、および発火させるべきである場合にはストロボにどのくらいのエネルギーを供給するべきかが含まれる。ストロボにより多くのエネルギーが供給されるほど、ストロボはより多くの光を発し、得られる写真はより明るくなる。場合によっては、カメラのユーザは、設定のいくつかまたはすべてを指定し、適切な露光を成し遂げるための、残りの任意の設定をカメラが調整することを要求することもある。
【０００８】
適切なストロボエネルギーを決定するための一般的な技法は、たとえば、ストロボエネルギーを既知の量に設定して試し写真を撮影することである。得られる写真は検査され、その露光の質が評価される。調整が必要な場合には、ストロボエネルギーの新たな値が決定される。次に、最終写真は、計算されたエネルギー値を用いて撮影される。しかし、このプロセスは、撮影される被写体の気を散らし、および／または被写体にとって不都合である場合がある。より一般的な技法は、カメラに（たとえば、ユーザ設定および／または一般に光源検出ロジックと呼ばれる光値を検出するためのロジックを通して）シーンの周囲光の光値を知らせ、かつシーンの良好な画像のためにさらにどのくらいの光が必要であるかを計算する既知の写真方式およびストロボの既知の特性に基づいて、シーンの所望の照明を成し遂げるためにどのくらいの期間ストロボを照明させなければならないかを判断することである。
【０００９】
設定にどの調整を行わなければならないかを判断するために、カメラは、適切な露光の定義を想定し、考えられる各調整が最終写真の露光にどのくらいの影響を与えるかに関する知識を導入することができる。本明細書で用いられる「写真」または「取り込まれた画像」は、カメラまたは他の画像取込みデバイスによって取り込まれたシーンの数字表現であってもよく、プリントされた表現またはユーザが見ることのできるシーンの画像である必要はない。
【００１０】
シーンの周囲照明の量または強度に加えて、シーンの取り込まれたカラー画像に影響を与える照明に関連する他の要因は、周囲照明のスペクトルの成分である。たとえば、カメラの各検出器によって検出された色の量は、シーンを照明する特定の光源によって放射される光のスペクトルの成分によって変化する場合がある。たとえば、シーンがタングステン光源によって照明される場合、シーンの画像は、赤いスペクトルの方にシフトされる。なぜなら、タングステン光源は、青色または緑色の光よりもより赤色の光を放射するからである。このシフトによって、得られる写真は、望ましくない赤みを帯びた／橙色を帯びた外観となる。
【００１１】
画像を処理して、シーンを照明する周囲光の特性の差を調整するためにカメラにおいて用いられている１つの方法では、赤色および青色信号と整列するように配置される可変利得増幅器が用いられる。赤色および青色信号に与えられる利得の量は、シーンを照明する光のタイプを補償するように調整される。カメラを手動で制御することによって、ユーザは、たとえば、タングステンモードおよび日光モードから選択できる。タングステンモードでは、赤色および青色検出器からの出力を増幅する機能を果たす増幅器の利得は、赤色シフトを補償するために第１の利得比に設定される。日光モードでは、赤色および青色信号の増幅に関与する増幅器の利得を、緑色信号に対して設定される利得の量とほぼ等しくなるようにする第２の利得比が用いられる。このように、赤色および青色検出器からの出力の増幅に関与する増幅器の利得を変更することによって、例として、画像がタングステン照明または日光において取り込まれる場合に色のバランスが適切にとられる。
【００１２】
さらに、カメラの内部での要因（たとえば、カメラによる画像の取込みおよび／または処理に関する要因）は、画像の質に影響を与える可能性がある。たとえば、カメラにおいて用いられるレンズは、取り込まれた画像に特定の望ましくないアーティファクト（artifact）を与える可能性がある。たとえば、レンズは、通常、その長さに沿って受け取った光を均一に扱わない。したがって、レンズの特定のエリアでは、レンズの他のエリアよりもより光を吸収または反射する場合がある。たとえば、大抵の場合、光はレンズの縁部周囲で異なって扱われ、検出器アレイに集光された光は、画像全体にわたって均一にはならない。レンズは、大抵の場合、異なる波長の光をその長さに沿って異なるように扱い、大抵の場合、その縁部において受け取った特定の波長の光を、レンズの他のエリア（たとえば、中心）におけるその特定の波長の光を扱うのとは異なるように扱う。カメラは、通常、その動作を調整して、取り込まれた画像の質にマイナスの影響を与える内部要因を軽減しようとする際、製造中にかなりの量の較正を受ける。たとえば、このような較正は、大抵の場合、検出器の特定のものからの出力の増幅に関与する増幅器の利得を調整して、レンズアーティファクトおよび／または取り込まれた画像の質にマイナスの影響を与える他の内部要因を補正することを含む。
【発明の開示】
【発明が解決しようとする課題】
【００１３】
本発明の目的は、デジタルカメラ、フィルムカメラ、ビデオレコーダ等の画像取込みデバイス内でＬＥＤを用いて、画像取込みプロセスの内部および／または外部欠陥を補正する方法およびシステムを提供することにある。
【課題を解決するための手段】
【００１４】
本発明の少なくとも１つの実施形態によると、複数の発光ダイオード（ＬＥＤ）を配置して、画像取込みデバイス用のストロボを形成するステップを含む方法が提供される。この方法はさらに、ＬＥＤの１つの領域によって放射される光の強度が、ＬＥＤの他の領域によって放射される光の強度と異なるように、画像取込みプロセス中にＬＥＤによって放射される光の強度を制御するステップを含む。
【００１５】
少なくとも１つの実施形態による方法は、異なる色の複数のＬＥＤを配置して画像取込みデバイス用のストロボを形成するステップを含む。この方法はさらに、第１の色の少なくとも１つのＬＥＤによって放射される光の強度が、第１の色とは異なる第２の色の少なくとも１つのＬＥＤによって放射される光の強度と異なるように、ＬＥＤによって放射される光の強度を制御するステップを含む。
【００１６】
少なくとも１つの実施形態による方法は、複数のＬＥＤを配置して、画像取込みデバイス用のストロボを形成することを含む。この方法はさらに、画像取込みデバイスを用いる画像取込みプロセス中に、シーンの周囲光を補うための複数のＬＥＤを用いて、かかるシーンの画像を取り込むステップ、および画像取込みプロセス中に複数のＬＥＤを用いて、画像取込みプロセスの少なくとも１つの欠陥を補正するステップを含む。
【００１７】
少なくとも１つの実施形態によると、ストロボを形成する複数のＬＥＤを有する画像取込みデバイスが提供される。画像取込みデバイスはさらに、ＬＥＤの１つの領域によって放射される光の強度が、ＬＥＤの他の領域によって放射される光の強度とは異なるように、画像取込みプロセス中にＬＥＤによって放射される光の強度を制御するための制御ロジックをさらに有する。
【００１８】
少なくとも１つの実施形態によると、シーンの画像を取り込むための手段を含むシステムが提供される。取込み手段は、画像取込みプロセス中にシーンに対する照明を生成するための手段を含み、生成手段は、前記画像取込みプロセスの少なくとも１つの欠陥を補正するように、シーンの周囲光を補うための複数のＬＥＤを含む。
【００１９】
少なくとも１つの実施形態によると、画像取込みデバイスは、画像取込みプロセス中に画像取込みデバイスによって撮像されるシーンを照明するための光を生成するために複数の手段を有する。画像取込みデバイスはさらに、複数の光生成手段の少なくとも１つによって放射される光の強度が、複数の光生成手段の少なくとも他の１つによって放射される光の強度とは異なるように、画像取り込みプロセス中に、複数の光生成手段によって放射される光の強度を制御するための手段をさらに含む。
【００２０】
少なくとも１つの実施形態によると、画像取込みデバイスは、画像取込みプロセス中に画像取込みデバイスによって撮像されるシーンを照明するための光を生成するための複数の手段を有し、この複数の光生成手段は、第１の色の光を生成するための少なくとも１つの手段および第１の色とは異なる第２の色の光を生成するための少なくとも１つの手段を有する。画像取込みデバイスはさらに、第１の色の光を生成するための少なくとも１つの手段によって放射される光の強度が、第２の色の光を生成するための少なくとも１つの手段によって放射される光の強度とは異なるように、画像取込みプロセス中に、複数の光生成手段によって放射される光の強度を制御するための手段をさらに含む。
【発明を実施するための最良の形態】
【００２１】
図１は、本発明の実施形態に従って実施されるデジタルカメラ１００の例示的なブロック図を示す。本明細書では、デジタルカメラについての例示的な実施態様が記載されているが、本発明の実施形態は、デジタルカメラへの応用に制限されず、限定なくフィルムカメラおよびビデオレコーダを含む他の画像取込みデバイスに対して同等に適用され得ることが理解されよう。さらに、本発明の実施形態が実施され得る画像取込みデバイスは、画像の取り込みを実施することのみに専用のデバイスである必要はなく、同様に画像取込み機能を有する携帯電話またはＰＤＡなどの他の機能を果たすデバイスであってもよい。
【００２２】
図１の例示的なデジタルカメラ１００は、シーン（図示せず）から光を集めるレンズ１０４を有する。動作中、集光された光は、レンズ１０４によって向きを直され（すなわち集束され）、センサ１０５上で画像化されるシーンの画像を形成する。当該技術分野では既知のように、センサ１０５は、ＣＣＤ素子のアレイ、相補型金属酸化膜半導体（ＣＭＯＳ）センサ等であってよい。カラー画像を取り込むために、上記のように、カラーフィルタ（図示せず）をレンズ１０４とセンサ１０５の間に配置してもよい。
【００２３】
デジタルカメラ、またはフィルムカメラ用の露光センサは、本来、撮影する各写真の数字表現を生成する。「画像要素」または「画素」と呼ばれる写真中の各位置については、カメラは、通常、その位置におけるシーンの輝度を示す数値を記録する。このとき、シーンの得られる表現は、数字のアレイである。アレイ内の位置は、特定の画素またはシーン内の位置に対応し、各アレイ位置に格納される数字は、その位置におけるシーンの輝度を表す。任意選択で、カメラはまた、撮影されるシーンの各画素の位置における色についての情報を記録することができる。たとえば、多くのカメラは、画素の輝度に対する、光の赤色、緑色および青色波長の寄与を示す３つの成分を用いて画素の色を表す。画素の全体的な輝度は、赤色、緑色および青色の寄与の合計、重み付けされた合計、または色情報のいくつかの他の組み合わせとして計算されることができる。色情報から画素の輝度を計算するための様々な方法は当該技術分野で既知である。
【００２４】
カメラ１００は、画像データを示すことができるディスプレイ１０９を有することができる。さらに、カメラ１００は、画像データの格納および呼び出し、ならびに他のデバイス（図示せず）とのデータ相互交換のための格納ユニット（たとえば、フラッシュメモリ）１０７を有することができる。さらに、ユーザがカメラの動作（たとえば、画像のズーミング、画像の集束、画像の取り込みの駆動等）に影響を与えられるように、様々なユーザ制御部（入力）１０８を含むことができる。
【００２５】
一般に、レンズ１０４の動作は、通常、マイクロプロセッサシステムを含むロジックユニット１０６からの制御信号によって制御することができる。同様に、センサ１０５の動作は、ロジックユニット１０６からの制御信号によって制御され得る。画像情報信号は、センサ１０５からロジックユニット１０６に流れ、そのような画像情報は処理され、ディスプレイ１０９を介して表示され、および／またはデータ格納部１０７（たとえば、フラッシュメモリ）に格納され得る。
【００２６】
本発明の実施形態によると、カメラ１００は、複数の発光ダイオード（ＬＥＤ）によって形成されるストロボ１０１を有する。たとえば、ＬＥＤ１１1、１１2、．．．１１n（ここで、ｎは、任意の所望の数である）のアレイをストロボ１０１を形成するために含み得る。従来のストロボのように、ストロボ（または、「フラッシュ」）１０１は、撮像されているシーン（図示せず）にさらなる光１１０を供給するために用いることができる。すなわち、ストロボ１０１は、撮像されているシーンの周囲光を補うために用いることができる。この点では、シーンの周囲光は、自然の照明（たとえば、太陽、月、星等からの光）、および／または人工の照明（たとえば、蛍光照明、タングステン照明、ハロゲン照明等）を含んでもよいことを理解されたい。
【００２７】
一般に、ＬＥＤは、従来のキセノンストロボよりも小さく、通常、より少ないエネルギーを必要とする。さらに、比較的高強度（または輝度）の光を出力できるＬＥＤが利用可能である。たとえば、日光を克服するのに十分な強度を有するＬＥＤは、交通信号において用いられ始めている。さらに、本発明の実施形態に従って実施される複数のＬＥＤは、以下にさらに記載されるように、異なるＬＥＤが異なる強度の光を出力する出力照明法を実施することを可能にするのに対して、従来のキセノンストロボは、このような照明法を実施することはできない。
【００２８】
本明細書にさらに記載されるように、ＬＥＤにより形成されるストロボ１０１は、画像取込みプロセスにおいて、シーンの周囲照明を補うだけでなく、欠陥（すなわち、望ましくない特性）を補正するために用いられることができる。たとえば、ＬＥＤは、レンズ１０４にわたる不均一な光の扱いなどの内部欠陥を補正する（たとえば、補正しなければレンズ１０４によって画像に与えられることになる望ましくないアーティファクトを除去する）ために用いられることができる。他の例として、ＬＥＤは、周囲照明によるシーンへの色の望ましくない寄与などの、画像取込みプロセスにおける外部欠陥を補正するために用いられることができる。このように、特定の実施形態では、利得増幅器等による取り込まれた画像データの後処理は、必要ないかまたは少なくとも低減される。なぜなら、欠陥補正は、ストロボ１０１のＬＥＤによって適用される照明法を通して画像取込みプロセス中に処理されるからである。
【００２９】
内部および外部「欠陥」（すなわち、「望ましくない特性」）は、本明細書では、取り込まれた画像の質にマイナスの影響を与える場合がある要因を指すものとして用いられることを理解されたい。たとえば、内部欠陥は、望ましくないアーティファクトを画像（補正されていない場合）に与えるカメラのレンズ（および／または他の構成要素および／または画像処理動作）などの、取り込まれた画像の質にマイナスの影響を与えるカメラの内部の要因である。外部欠陥は、周囲光源によるシーンへの色の望ましくない寄与（たとえば、タングステン光源による赤みを帯びた色合いの寄与等）などの、取り込まれた画像（補正されていない場合）の質にマイナスの影響を与えるカメラの外部にある（および／またはカメラの制御下にある）要因である。カメラは、シーンの周囲照明からこのような色の寄与を取り込む（周囲照明からこのような色の寄与を取り込むことは、文字通りカメラの動作における欠陥ではない）ことによって、適切に機能することができるが、このような色の寄与は、取り込まれた画像の質にマイナスの影響を与える望ましくない特性であるため、外部の「欠陥」または「望ましくない特性」と呼ばれる場合がある。
【００３０】
図１の例示的な実施態様では、ストロボ１０１は、ロジックユニット２０６と通信可能に接続することができるストロボ制御ロジック１０２によって動作する。たとえば、ストロボ制御部１０２は、以下にさらに述べるように、ＬＥＤ１１1〜１１nの異なるものの強度を制御して取り込まれた画像の質を向上させる（たとえば、画像取込みプロセスの内部および／または外部欠陥を補正する）ことができる。たとえば、各ＬＥＤに与えられる電力の量を制御することによって、画像取込みプロセス中に各ＬＥＤによって出力される光の強度は、ストロボ制御部１０２によって制御され、所望の照明法が実施され得る。他の例として、ＬＥＤの配置は、異なる領域によって出力される光の強度を制御するために制御および／または選択されることができる。たとえば、ＬＥＤは、ストロボ１０１の第１の領域では、他の領域よりもさらに密集させて配置されることができるため、第１の領域は、より高い強度の光を出力する。このようなＬＥＤの配置は、たとえば、求めた内部欠陥（たとえば、較正プロセスを通して求めることができる）を補正するために、カメラ１００の製造中に固定されてもよい。特定の実施形態では、ＬＥＤの配置は、カメラ１００の動作中可変であってよい。さらに、アクチュエータ（たとえば、マイクロアクチュエータ）は、ＬＥＤを移動させ、ストロボ制御部１０２によって相対的な位置決めを変更させることができるように実施されてもよい。
【００３１】
本明細書にさらに述べるように、特定の実施態様では、ストロボ制御部１０２は、カメラ１００のデータ格納ユニット（たとえば、ランダムアクセスメモリ、フラッシュメモリ等）に格納されるストロボプロファイル１０３において利用可能な情報を用いて、シーンを撮像するために用いられる適切な照明法を求め、ストロボ制御部１０２はストロボ１０１のＬＥＤを制御し、このような照明法を実施することができる。たとえば、ストロボプロファイル情報１０３は、レンズ１０４にわたる光の不均一な処理を補正するためなど、（較正プロセスを通して求めることができる）カメラ１００の内部欠陥に必要な補正のタイプおよび量に関する情報を含んでもよい。さらに、または代案として、ストロボプロファイル情報１０３は、様々なタイプの周囲光源の望ましくない色の寄与を補正するためなど、所定のシーンの画像取込みプロセスの外部欠陥に必要な補正のタイプおよび量に関する情報を含んでもよい。
【００３２】
ストロボ制御部１０２はまた、（たとえば、野外対屋内などの、シーンが撮像される周囲光条件のタイプに関する情報等の）ユーザが制御する設定１０８に関する例示的な情報、および／または（たとえば、撮像されるシーンの視野を決定するためなどの）集光情報を含む、適切な照明法を求める助けとなる情報をロジック１０６から受け取ることができる。したがって、たとえば、特定の実施態様では、ユーザは、シーンが撮影されている周囲光源のタイプ（たとえば、日光、蛍光照明、タングステン照明等）を指定し、ロジック１０６は、この情報をストロボ制御部１０２に伝達し、ストロボ制御部１０２は、（たとえば、ストロボプロファイル１０３において利用可能な情報に基づいて）画像取込みプロセス中にストロボ１０１によって適用される適切な照明法を求めることができる。さらに、特定の実施形態では、撮像されるシーンの周囲照明条件を決定するためのロジック（図示せず）が含まれ得る。たとえば、シーンの周囲照明条件を解析して周囲照明のタイプを決定するためのロジック（一般に光源検出ロジックと呼ばれる）をカメラ１００に含ませることができる。光源検出ロジックは、当該技術分野において既知であり、様々な異なるタイプの光源を検出するためにカメラにおいて頻繁に実施される。たとえば、特定のカメラは、日光、曇りの光条件、夕暮れの照明、蛍光照明等の１５の異なるタイプの一般的な周囲光源を検出するための光源検出ロジックを検出する。
【００３３】
このように、本発明の特定の実施形態によると、ストロボ制御部１０２は、ＬＥＤ１１1〜１１nの強度を制御し、シーンの周囲照明を補うだけでなく、画像取込みプロセスにおける内部および／または外部の欠陥（すなわち、「望ましくない特性」）を補正することができる。上記のように、画像取込みデバイスにおいて頻繁に遭遇する内部欠陥の１つのタイプは、長さにわたって均一に光を扱わないレンズから生じる。たとえば、多くのレンズは、すべての波長の光を均一に曲げる傾向はなく、中心付近よりも縁部付近においてより光を減衰する傾向がある。本発明の特定の実施形態による照明法は、ＬＥＤ１１1〜１１n適用してこのような内部欠陥を補正することができる。このような内部欠陥を補正するための画像取込みデバイス内でのＬＥＤの１つの実施態様の例は、図２に示され、以下にさらに述べる。
【００３４】
図２は、デジタルカメラ２００の一部を示す例示的なブロック図を示す。図１のカメラ１００のように、カメラ２００は、レンズ１０４および画像データを取り込むためのセンサ１０５を有する。簡単のため図示されていないが、図１を参照しながら上述したような様々な他の構成要素もまた、カメラ２００に含まれ得る。カメラ２００はまた、複数のＬＥＤ２１を含む（たとえば、図１のストロボ１に対応する）ストロボ２０１を有する。このようなＬＥＤ２１は、本実施例では、内部欠陥を補正する照明法を実施するように配置されている。たとえば、ＬＥＤ２１は、中心付近よりも縁部付近においてより光を減衰するレンズ１０４の欠陥を補正するように配置され得る。
【００３５】
ＬＥＤ２１の配置は、ストロボ２０１の異なる領域によって出力される光の強度を制御するために用いられる。たとえば、図２の例では、ＬＥＤ２１は、弧状に配置され、弧の中央よりも弧の各端部付近においてより緻密に集まっている。したがって、より強度の高い光は、弧の中央領域よりも弧の端部領域において出力される。この結果、このような照明法では、その中心付近よりも縁部付近において（たとえば、シーンの縁部をより多く照明することによって）より光を減衰させるレンズ１０４を補償（または、補正）することができる。このようなＬＥＤ２１の配置は、較正プロセス中に決定することができる、（たとえば、レンズ１０４に関連する欠陥などの）所定の内部欠陥を補正するために、カメラ２００の製造中に固定されてもよい。特定の実施形態では、ＬＥＤ２１の配置は、カメラ２００の動作中可変であってもよい。たとえば、アクチュエータ（たとえば、マイクロアクチュエータ）は、ＬＥＤ２１を移動させて、ストロボ制御部２０２によって変更される相対的な位置決めを可能にするために実施することができる。たとえば、マイクロアクチュエータ２２は、図２の例では、特定のＬＥＤ２１に対して含まれ、ストロボ制御部２０２は、このようなマイクロアクチュエータを選択的に駆動し、所望の照明法を実施するために（たとえば、ストロボ２０１の所定の領域におけるＬＥＤの密度を増加させるために）ＬＥＤ２１を動的に配置することができる。したがって、ＬＥＤは、特定の実施態様において（たとえば、（図１）のロジック１０６の制御下で、および／またはストロボ制御部２０２の制御下で）制御可能に移動することができる。ＬＥＤは、ストロボ１０１の特定の領域におけるＬＥＤの密度を動的に変化させるように制御可能に移動され、それによって、その領域によって出力される光の強度を効果的に変更する。さらに、または代案として、ＬＥＤは、その配置の形状を動的に変更する（たとえば、図２のアークの形状を変更する）ように移動され得る。このような弧の形状は、たとえば、フラッシュの焦点距離がレンズの焦点距離に対応して（たとえば、ズーム動作に応答して）変化するように変更され得る。
【００３６】
内部欠陥を補正するための画像取込みデバイスについてのＬＥＤの他の実施態様の例は図３に示される。図３は、デジタルカメラ３００の一部を示す例示的なブロック図を示す。図１のカメラ１００のように、カメラ３００は、レンズ１０４および画像データを取り込むためのセンサ１０５を有する。簡単のため図示されていないが、図１において上述したような様々な他の構成要素もまた、カメラ３００に含まれ得る。カメラ３００はまた、複数のＬＥＤ３１A〜３１l（総称して、ＬＥＤ３１と呼ぶ）を含む（たとえば、図１のストロボ１０１に対応する）ストロボ３０１を有する。このようなＬＥＤ３１は、本実施例では、均一に間隔を置いて配置されている。しかし、ストロボ制御部３０２は、画像取込みプロセスのフラッシュ中に各ＬＥＤ３１に供給される電力を選択的に制御し（それによって、各強度を制御し）、内部欠陥を補正する照明法を実施することができる。たとえば、ＬＥＤ３１は、図２の上記の照明法に類似した照明法を実施することができる。ここで、アレイの各端部付近のＬＥＤ（たとえば、ＬＥＤ３１Aおよび３１B、ならびにＬＥＤ３１Hおよび３１l）は、レンズ１０４がその中心付近よりもその縁部付近においてより光を減衰するというレンズ１０４の欠陥を補正するために、アレイの中心付近に配置されたＬＥＤよりもより強く駆動され（たとえば、より多くの電力が供給され）得る。このように、ストロボ制御部３０２は、所望の照明法を実施するために、ＬＥＤ３１の異なるものを異なる強度に選択的に駆動することができる。
【００３７】
ＬＥＤは、実質的に、供給された電流に応じて光を放射する。ダイオードが導電し始めると（ＬＥＤについては光を放射し始めると）、ダイオードの両端の電圧低下は、通常、非常に少ない。したがって、電流は、ダイオードの強度を変化させるために変更され得る。一般に、電流を変化させることは、電圧を変化させるよりもさらに困難である。したがって、特定の実施態様では、入力電圧が変化で出力電流を変化させ、それによって、対応するＬＥＤの強度を変化させる、（当該技術分野で公知のものなどの）電圧―電流変換器が用いられる場合がある。さらに、特定の実施態様では、（図２におけるような）ＬＥＤの配置、および（図３におけるような）ＬＥＤに供給される電力（または、電流）はともに、ＬＥＤの異なる領域によって出力される光の強度を制御するように制御され得る。
【００３８】
図１とともに上述したように、特定の実施態様では、ストロボ制御部１０２は、カメラ１００のデータ格納ユニット（たとえば、ランダムアクセスメモリ、フラッシュメモリ等）に格納されているストロボプロファイル１０３において利用可能な情報を用いて、シーンを撮像するために用いられる適切な照明法を求め、ストロボ制御部１０２は、ストロボ１０１のＬＥＤ（たとえば、その配置および／または強度）を制御してこのような照明法を実施することができる。図４は、図１において上述した構成要素を含む例示的なカメラ４００のブロック図を示す。たとえば、カメラ４００は、図２（たとえば、ストロボ２０１）または図３（たとえば、ストロボ３０１）において上述した様式で、複数のＬＥＤを実施することができるストロボ１０１を有する。さらに、カメラ４００は、本実施例では、内部欠陥補正情報１３Aを含むストロボプロファイル情報１０３を有する。内部欠陥補正情報１３Aは、レンズ１０４にわたる光の不均一な扱いを補正するためなど、（較正プロセスを通して決定されることができる）カメラ４００の内部欠陥に必要な補正のタイプおよび量に関する情報を含む場合がある。このような内部欠陥補正情報１３Aは、たとえば、較正プロセス中にカメラ４００に入力され、ストロボ制御部１０２によって後に呼び出されるようにカメラ４００内のデータ格納部に格納することができる。このように、ストロボ制御部１０２は、内部欠陥補正情報１３Aにアクセスし、その情報を用いて、画像取込みプロセスの内部欠陥を補正するためにストロボ１０１で実施される適切な照明法を求めることができる。
【００３９】
一般に、（上記のタイプの欠陥を最小限に抑えようとして）レンズをできるだけ正確に設計するのには多大な時間と努力が必要である。このような設計の努力によって、画像取込みデバイスの製造および材料コストはかなり増加する。本発明の実施形態では、画像取込みデバイスに関連する製造および設計コストを低減するために、特定の実施態様では、低品質のレンズが用いられ、レンズの欠陥は、画像取込みデバイスのＬＥＤによって実施される適切な照明法で画像取込み時に補正（較正）することができる。さらに、レンズは、一般に、上記の「縁部付近の」効果を最小限に抑えるために、絶対に必要とされるよりも大きくなる。本発明の実施形態は、（レンズに設計される「スロップ（slop）」の量を減少させることによって）画像取込みデバイスのＬＥＤによって成し遂げられる適切な照明法で画像取込み時に補正される「縁部付近の」欠点に対してより小さなレンズが使用されることを可能にする場合がある。
【００４０】
図１を参照しながら上述したように、ストロボ制御部１０２は、ＬＥＤ１１l〜１１nの強度を制御し、シーンの周囲照明を補うだけでなく、画像取込みプロセスにおける内部および／または外部欠陥（すなわち、望ましくない特徴）を補正することができる。画像取込みプロセスにおいて頻繁に遭遇する外部欠陥（すなわち、カメラ１００の制御外にある、またはそこから生じる欠陥）の１つのタイプは、周囲照明によるシーンに対する色の望ましくない寄与から生じる。たとえば、異なる周囲光源は、異なる色特性をシーンに与える場合がある。たとえば、タングステン光源は、赤みを帯びた色をシーンに与える場合がある。本発明の特定の実施形態による証明法は、ＬＥＤ１１1〜１１nヲ適用してこのような外部欠陥を補正することができる。このような外部欠陥を補正するための画像取込みデバイスを有するＬＥＤの１つの実施態様の例は、図５に示され以下にさらに記載される。
【００４１】
図５は、デジタルカメラ５００の一部を例示する例示的なブロック図を示す。図１のカメラ１００のように、カメラ５００は、レンズ１０４および画像データを取り込むためのセンサ１０５を有する。簡単のため図示されていないが、上述の図１に示されているような様々な他の構成要素もまた、カメラ５００に含まれてもよい。カメラ５００はまた、複数のＬＥＤ５１1〜５１n（総称してＬＥＤ５１と呼ばれる）を含むストロボ５０１（たとえば、図１のストロボ１０１に対応する）を有する。本実施例では、ＬＥＤ５１は色付きである。たとえば、ＬＥＤのうちのあるものは、赤色（図５では「Ｒ」で示される）であり、あるものは緑色（図５では「Ｇ」で示される）、およびあるものは青色（図５では「Ｂ」で示される）である。言うまでもなく、ＬＥＤの他の色方式および配置も他の実施態様において用いられることができる。このようなＬＥＤ５１は、周囲照明によってシーンに与えられる望ましくない色などの、外部欠陥を補正する照明法を実施するために用いることができる。
【００４２】
ストロボ制御５０２は、ストロボ５０１の異なる色のＬＥＤ５１によって出力される光の強度を制御し、周囲照明によってシーンに与えられる望ましくない色を補正（またはオフセット）することができる。たとえば、シーンの周囲照明が（たとえば、タングステン光源のように）望ましくない赤みを帯びた色をシーンに与える場合、カラーＬＥＤ５１の強度は、照明法を実施して、このようなシーンの望ましくない赤みを帯びた色を補正するように調整されることができる。たとえば、ストロボ５０１の赤色ＬＥＤにはより少ない電力が与えられるのに対して、画像取込みプロセス中に、ストロボ５０１の青色および緑色ＬＥＤにはより多くの電力が与えられ、周囲照明によってシーンに与えられる望ましくない赤色をオフセットすることができる。上記のように、各ＬＥＤの強度は、そこに供給される電力の量、および／またはＬＥＤの配置を制御することによって制御されることができる。したがって、たとえば、ストロボ制御５０２は、特定のカラーＬＥＤに対して、他のカラーＬＥＤよりも大きな電力を選択的に供給し、欠陥を補正するための所望の照明法を実施することができる。
【００４３】
図１とともに上述したように、特定の実施態様では、ストロボ制御部１０２は、カメラ１００のデータ格納ユニット（たとえば、ランダムアクセスメモリ、フラッシュメモリ等）に格納されるストロボプロファイル１０３において利用可能な情報を用いて、シーンを撮像するために用いられる適切な照明法を求め、ストロボ制御部１０２はストロボ１０１のＬＥＤ（たとえば、それらの配置および／または強度）を制御し、このような照明法を実施することができる。図６は、図１において上述した構成要素を含むカメラがシーン６０１の画像を取り込むために用いることができる例示的なシステム６００を示す。たとえば、図示される例示的なカメラは、図５のストロボ５０１およびストロボ制御５０２を有する。
【００４４】
さらに、例示的なカメラは、ストロボプロファイル情報１０３を含み、この情報は、本実施例では、外部欠陥補正情報１３Bを含む。外部欠陥補正情報１３Bは、シーン６０１の周囲照明の望ましくない色を補正するためなどの、画像取込みプロセスの外部欠陥に必要な補正のタイプおよび量に関する情報を含む場合がある。たとえば、シーン６０１は、本実施例では、光６０３をシーン６０１に供給する周囲光源６０２によって照明される。このような周囲光源６０２は、供給された光６０３に望ましくない色を含む場合がある。たとえば、周囲光源６０２がタングステン光源である場合、望ましくない赤色をシーン６０１に与える場合がある。外部欠陥補正情報１３Bは、タングステン照明、日光、蛍光照明等の、様々なタイプの周囲光源のそれぞれに対して適用される補正の量およびタイプに関する情報を含む場合がある。このように、ストロボ制御５０２は、外部欠陥補正情報１３Bにアクセスし、その情報を用いて、画像取込みプロセスの外部欠陥を補正する（たとえば、シーンの周囲照明によって与えられる望ましくない色をオフセットする）ためにストロボ５０１で実施される適切な照明法を求めることができる。
【００４５】
このように、たとえば、特定の実施態様では、ユーザは、ユーザ制御部１０８を介して、シーン６０１が撮影される周囲光源６０２のタイプ（たとえば、日光、蛍光照明、タングステン照明等）を指定し、ロジック１０６は、この情報をストロボ制御部５０２に伝達し、ストロボ制御部５０２は、（ストロボプロファイル１０３で利用可能な情報に基づいて）画像取込みプロセス中にストロボ５０１によって適用される適切な照明法を求めることができる。あるいは、特定の態様では、シーン照明検出器ロジック（または、「照明検出ロジック」）６０４は、シーン６０１の周囲照明条件を決定するために、カメラに含ませ得る。たとえば、ロジック６０４は、シーン６０１の周囲照明条件を解析し、照明シーン６０１に対して用いられる周囲照明６０２のタイプを決定することができる。この場合、シーン照明検出器ロジック６０４が周囲照明６０２のタイプを決定すると、ロジック１０６は、この情報をストロボ制御部５０２に伝達し、ストロボ制御部５０２は、（たとえば、ストロボプロファイル１０３において利用可能な情報に基づいて）画像取込みプロセス中にストロボ６０１によって適用される適切な照明法を求めることができる。
【００４６】
図３および図４は、内部欠陥を補正するための照明法を実施するものとして上述されているが、これらの例示的な照明法は、内部欠陥の補正の代わりに、または内部欠陥の補正に加えて、画像取込みプロセスの外部欠陥を補正する（たとえば、シーンの周囲照明によって与えられる望ましくない色を補正する）ために用いられることができることを理解されたい。同様に、図５および図６は、画像取込みプロセスの外部欠陥を補正するための照明法を実施するものとして上述されているが、これらの例示的な照明法は、外部欠陥の補正の代わりに、または外部欠陥の補正に加えて、画像取込みプロセスの内部欠陥を補正するために用いられることができることを理解されたい。さらに、上記の技法は、内部または外部欠陥のいずれかを補正するために記載されているが、特定の照明法は、本発明の実施形態に従って、内部および外部欠陥をともに同時に補正するために、ＬＥＤを用い得ることを理解されたい。
【００４７】
また、図１、図２、図３、および図６の例示的なストロボは、ＬＥＤの単一な行（または、ライン）を示しているが、本発明の実施形態は、この配置に限定されない。むしろ、他の所望の配置を用いてもよい。たとえば、ＬＥＤは、複数の行および列のＬＥＤを有する二次元アレイとして配置してよい。さらに、ＬＥＤは、画像取込みデバイスの共通のエリアに配置されている必要はない。すなわち、ＬＥＤは、必ずしも連続したアレイとして配置される必要はない。たとえば、特定の態様では、ＬＥＤの一部は、画像取込みデバイスの１つのエリアにおいて配置され、ＬＥＤの他の部分は、その他のエリアに配置されてもよい。たとえば、ＬＥＤの一部は、レンズ（たとえば、図１のレンズ１０４）の片側に配置され、ＬＥＤの他の部分は、レンズの反対側に配置されてもよい。他の例として、ＬＥＤは、レンズの周囲に分布されて、実質的に均一な照明を成し遂げる助けをし、その一方で、上記のように１つまたは複数の欠陥を補正するための照明法も用いる。欠陥補正を向上させ、および／またはシーンの照明を改善するこのような任意の配置が用いられてよい。さらに、本発明の実施形態によるＬＥＤストロボは、画像取込みデバイス内で実施されてよいが、特定の実施形態では、このようなＬＥＤストロボは、画像取込みデバイスの外部で実施してもよい。たとえば、ＬＥＤストロボ１０１、およびいくつかの実施形態では、ストロボ制御部１０２は、従来の「ホットシュー」などのように、必要に応じてカメラに接続され得る付属物として実施することができる。
【００４８】
図７は、画像取込みプロセスの内部および外部欠陥を補正するためにＬＥＤを用いて実施される適切な照明法を求めるために用いられることができる、内部欠陥補正情報１３Aおよび外部欠陥補正情報１３Bをともに含むストロボプロファイル情報１０３を含む例示的なカメラ７００を示す。このように、この例示的な実施形態では、画像取込みプロセスの内部および外部欠陥をともに補正するための照明法が（たとえば、ストロボ制御部１０２によって）決定され、ストロボ制御部１０２は、このような照明法を成し遂げるためにストロボ１０１を制御することができる。
【００４９】
図８は、本発明の実施形態の例示的な動作の流れ図を示す。動作ブロック８０１では、複数のＬＥＤが画像取込みデバイスとともに配置される。動作ブロック８０２では、所望の照明法が画像取込みプロセスに対して決定される。このような決定は、たとえば、ストロボ制御ロジック１０２によってなされ、このような決定は、上記のように、少なくとも一部がストロボプロファイル１０３に含まれる情報に基づくことができる。特定の実施形態では、画像取込みプロセスに対する所望の照明法の決定には、画像取込みプロセスを補正するための内部欠陥を求めること（図８のブロック８２A）、および／または画像取込みプロセスを補正するための外部欠陥を求めること（図８のブロック８２B）を含む場合がある。
【００５０】
動作ブロック８０３では、画像取込みデバイスのＬＥＤは、シーンの周囲照明を補い、所望の照明法を成し遂げるために用いられる。たとえば、上記のように、本発明の実施形態は、ＬＥＤを用いて、（従来のカメラストロボのように）撮像されているシーンの周囲照明を補うだけでなく、ＬＥＤを用いて、画像取込みプロセスの（たとえば、内部および／または外部）欠陥を補正するように周囲照明を補う。本明細書で用いられているように、画像取込みプロセスは、各画像取込み動作に対して変化する場合があることを理解されたい。たとえば、（たとえば、第１および第２のシーンの周囲照明が異なること等のために）第１の外部欠陥は、第１のシーンを撮像するための画像取込みプロセスに対して存在し、第２の外部欠陥は、第２のシーンを撮像するための画像取込みプロセスに対して存在し得る。動作ブロック８０３に示されるように、（たとえば、画像取込みプロセスの欠陥を補正するために）ＬＥＤを用いて所望の照明法を成し遂げることには、異なる強度の光を放射するＬＥＤの異なる領域が含まれ得る（動作ブロック８３A）。さらに、動作ブロック８３Bに示されるように、各ＬＥＤおよび／またはＬＥＤの配置に供給される電力は、（たとえば、ストロボ制御ロジック１０２によって）制御され、異なる領域に異なる強度の光を放射させる。
【００５１】
図９は、本発明の実施形態の他の例示的な動作の流れ図を示す。本実施例では、動作ブロック９０１は、複数のＬＥＤを配置して画像取込みデバイス用のストロボを形成するすることを含み、動作ブロック９０２は、ＬＥＤの１つの領域によって放射される光の強度が、ＬＥＤの他の領域によって放射される光の強度とは異なるように、画像取込みプロセス中に、ＬＥＤによって放射される光の強度を制御することを含む。
【００５２】
図１０は、本発明の実施形態のさらに他の例示的な動作の流れ図を示す。本実施例では、動作ブロック１００１は、異なる色の複数のＬＥＤを配置して、画像取込みデバイス用のストロボを形成することを含み、動作ブロック１００２は、第１の色の少なくとも１つのＬＥＤによって放射される光の強度が、第１の色とは異なる第２の色の少なくとも１つのＬＥＤによって放射される光の強度とは異なるように、ＬＥＤによって放射される光の強度を制御することを含む。
【００５３】
図１１は、本発明の実施形態のさらに他の例示的な動作の流れ図を示す。本実施例では、動作ブロック１１０１は、複数のＬＥＤを配置して画像取込みデバイス用のストロボを形成することを含み、動作ブロック１１０２は、画像取込みデバイスを用いる画像取込みプロセス中に、シーンの周囲光を補うための複数のＬＥＤを用いて、シーンの画像を取り込むことを含む。さらに、動作ブロック１１０３は、画像取込みプロセス中に、複数のＬＥＤを用いて、画像取込みプロセスの少なくとも１つの欠陥を補正することを含む。特定の実施態様では、動作ブロック１１０２および１１０３は、同時に実施することができる。
【００５４】
上記を考慮すると、本発明の実施態様は、デジタルカメラ、フィルムカメラ、ビデオレコーダ等の画像取込みデバイス内でＬＥＤを用いて、画像取込みプロセスの内部および／または外部欠陥を補正する照明法を実施する。上記のように、本発明の実施形態は、ＬＥＤを用いて、撮像されているシーンの周囲照明を補うだけでなく、ＬＥＤを用いて、画像取込みプロセス（たとえば、内部および／または外部）欠陥を補正するようにシーンの周囲照明を補う。
【図面の簡単な説明】
【００５５】
【図１】本発明の実施形態に従って実施されるデジタルカメラの例示的なブロック図である。
【図２】画像取込みプロセスの内部欠陥を補正するための画像取込みデバイス内のＬＥＤの１つの実施態様の例を示す図である。
【図３】画像取込みプロセスの内部欠陥を補正するための画像取込みデバイス内のＬＥＤの他の実施態様の例を示す図である。
【図４】１つの実施形態による画像取込みプロセスの内部欠陥を補正するためのＬＥＤを用いて実施される適切な照明法を求めるために用いられ得る内部欠陥補正情報を含むストロボプロファイル情報を含む例示的なカメラを示す図である。
【図５】画像取込みプロセスの外部欠陥を補正するための画像取込みデバイス内のＬＥＤの１つの実施態様の例を示す図である。
【図６】１つの実施形態による画像取込みプロセスの外部欠陥を補正するためのＬＥＤを用いて実施される適切な照明法を求めるために用いられ得る外部欠陥補正情報を含むストロボプロファイル情報を含む例示的なカメラを示す図である。
【図７】１つの実施形態による画像取込みプロセスの内部および外部欠陥を補正するためのＬＥＤを用いて実施される適切な照明法を求めるために用いられ得る、内部欠陥補正情報および外部欠陥補正情報をともに含むストロボプロファイル情報を含む例示的なカメラを示す図である。
【図８】本発明の実施形態の例示的な動作流れ図である。
【図９】本発明の実施形態の他の例示的な動作流れ図である。
【図１０】本発明の実施形態のさらに他の例示的な動作流れ図である。
【図１１】本発明の実施形態のさらに他の例示的な動作流れ図である。
【符号の説明】
【００５６】
１１1、．．．、１１n  ＬＥＤ
１０１  ＬＥＤアレイ
１０２  ストロボ制御部
１０３  ストロボプロファイル
１０５  センサ
１０６  ロジック
１０７  画像格納部
１０８  ユーザ制御部
１０９  ディスプレイ
１１０  ストロボ
【図１】
2005078089.tif 000003
【図２】
2005078089.tif 000004
【図３】
2005078089.tif 000005
【図４】
2005078089.tif 000006
【図５】
2005078089.tif 000007
【図６】
2005078089.tif 000008
【図７】
2005078089.tif 000009
【図８】
2005078089.tif 000010
【図９】
2005078089.tif 000011
【図１０】
2005078089.tif 000012
【図１１】
2005078089.tif 000013